(57)【特許請求の範囲】
【請求項１】
左右の脚体に天板を上下回動可能に連結するとともに、天板後部下方に配した幕板を天板とリンク機構で連動させ、該天板が水平で幕板が天板後部下方に接近して垂下した使用姿勢と、天板の前部を跳ね上げて該天板が脚体に略平行で幕板が両脚体の後縁に沿った折畳み姿勢をとる折畳み式テーブルにおいて、前記リンク機構の少なくとも一つの枢着部に、前記天板が折畳み姿勢又は使用姿勢の回転終端に近づくと機能して回転に制動を与える弾性緩衝機構を内蔵し、前記弾性緩衝機構は、前記枢着部を構成する一方の部材に板バネの基端部を保持するとともに、前記枢着部を構成する他方の部材に回転終端に近づくと前記板バネの遊端部に圧接する突起を該枢着部の回転中心から偏心した位置に設けたものである請求項１記載の折畳み式テーブル。
【請求項２】
前記リンク機構が、前記脚体と幕板とを下リンク杆と上リンク杆にてリンク連結するとともに、該上リンク杆の中間部と天板後部とを連動杆にてリンク連結し、天板と幕板とを連動させる構造であり、前記連動杆の上端と天板後部との枢着部に前記弾性緩衝機構を内蔵してなる請求項２記載の折畳み式テーブル。
【請求項３】
前記弾性緩衝機構は、前記天板の両側下面に固定したブラケットに、円筒状の支軸と該支軸の外周面に突起を突設した制動部材を回転不能に保持するとともに、前記連動杆の上端部に前記支軸と突起を受け入れる軸孔部と、該軸孔部に連続した板バネ保持部を凹設し、該板バネ保持部に単又は複数の板バネの基端部を嵌合するとともに、前記制動部材の支軸と突起を軸孔部に挿入し、前記連動杆の上端部を貫通した回動軸を前記制動部材の支軸に貫通して前記ブラケットに螺合し、折畳み姿勢又は使用姿勢の回転終端に近づくと前記突起が板バネの遊端部に圧接するように設定してなる請求項１又は２記載の折畳み式テーブル。
【請求項４】
前記制動部材は、基台の一側面に前記支軸を突設するとともに、基台の他側面に複数のダボを突設し、前記ブラケットの支持片に前記回動軸を螺合する螺孔とその周囲に係合孔を穿設し、前記ダボを係合孔に嵌合して回転不能に保持してなる請求項３記載の折畳み式テーブル。
【請求項５】
前記制動部材は、基台の一側面に前記支軸を突設するとともに、該支軸の外周部に先端に該支軸を中心とした円弧面を形成した突起を突設し、前記板バネの遊端部を前記突起の円弧面に乗り上げ可能となした請求項４記載の折畳み式テーブル。
【発明の詳細な説明】
【技術分野】
【０００１】
本発明は、天板が上下に回動する折畳み式テーブルに係わり、更に詳しくは天板の跳ね上げ時に回動終端に至る前に回動に対して制動が作用する折畳み式テーブルに関するものである。
【背景技術】
【０００２】
従来から、左右の脚体の上端部に、天板の下面両側部を上下回動可能に主軸にて連結して該天板が水平な使用姿勢と脚体に略平行な折畳み姿勢をとるようにするとともに、前記天板の後部下方に配した幕板を、天板後部下方に接近して垂下した使用姿勢と両脚体の後縁に沿った折畳み姿勢との間を移動可能に前記天板と連動させてリンク連結した折畳み式テーブルは、各種提供されている。
【０００３】
例えば、特許文献１には、前記天板の後部下方に配した幕板を、左右両側において一対の上下リンク杆にて脚体にリンク連結するとともに、該上リンク杆と天板後部とを連動杆にてリンク連結して天板と幕板とを連動させ、前記天板と幕板の一連の折畳み動作中に常に天板後端部と幕板上端部との間に所定間隔以上の空隙を形成すべく、前記上下リンク杆及び連動杆の長さと枢着位置を設定した折畳み式テーブルの幕板連動装置が開示されている。
【０００４】
また、特許文献２には、天板の下面の左右両側部を、脚杆の上部に枢着して、前記天板を、前記脚杆の上方の水平な使用位置と、前記脚杆の後側に起立する垂直な折り畳み位置に回動させるように支持するとともに、前記天板の後部下方を覆うべく左右両脚杆の内寸法より長い左右幅に設定した幕板を、前記天板の回動と連動して、使用位置では、前記脚杆の後方に離間させ、前記折り畳み位置では、前記脚杆に接近させるように、幕板の下部を、脚杆の内側面にリンク杆で連結するとともに、幕板の上部を天板の下面後部の支持部材に枢着した構造の幕板付き折り畳みテーブルが開示されている。
【０００５】
また、特許文献３には、水平の使用姿勢とほぼ垂直の折畳み格納姿勢との間を回動可能として、回動軸をもって支柱に軸着された天板を有する折畳みテーブルにおいて、前記回動軸を中心とする天板の回動を緩衝するために、内部に油が封入されたダンパー本体を天板に取付けるとともに、このダンパー本体の油により回動抵抗が与えられる回動軸を、前記支柱に取付けた折畳みテーブルが開示されている。
【０００６】
しかし、特許文献１、２に記載のものは、天板と幕板が連動しているので、幕板の重量が天板を跳ね上げる方向に作用し、天板から手を離すと急激に天板が回動することになる。そして、天板を脚体と略平行になるように跳ね上げた際、幕板が脚体と干渉してしまい衝突音の発生や傷付きの問題があった。これは、設計通りであれば、幕板が脚体に接触することはないが、リンク機構の遊びと可動部分の慣性力に起因している。この問題を回避するために、幕板や脚体に軟質の緩衝材を取付けるなどの対策を施しているものもあるが、幕板の衝撃や振動による衝突音の発生を完全に抑えることはできない。尚、前記幕板の横幅を左右の脚体間より狭く設定したものも存在するが、この場合には直接脚体へ幕板が衝突することはないが、リンク部材が幕板や脚体に衝突することがあり、やはり衝突音の発生は避けられないばかりでなく、左右に複数の折畳み式テーブルを並べて設置した際に、隣接する幕板間に大きな隙間が生じて幕板本来の視線を遮る機能に劣る。また、特許文献３に記載のものは、天板の回動軸にオイルダンパーを設けたので、天板の一方向の回動に対して抵抗力が作用するので、天板の急激な跳ね上がりと幕板の脚体への衝突は防止できるものの、オイルダンパー自体が高価であるためコスト高となる。
【特許文献１】特開２００４−１２１４４０号公報
【特許文献２】特許第３３７４２３９号公報
【特許文献３】特許第３４７９８９６号公報
【発明の開示】
【発明が解決しようとする課題】
【０００７】
そこで、本発明が前述の状況に鑑み、解決しようとするところは、左右の脚体に天板を上下回動可能に連結するとともに、天板後部下方に配した幕板を天板とリンク機構で連動させ、該天板が水平で幕板が天板後部下方に接近して垂下した使用姿勢と、天板の前部を跳ね上げて該天板が脚体に略平行で幕板が両脚体の後縁に沿った折畳み姿勢をとる折畳み式テーブルにおいて、天板を折畳み姿勢とする際に、急激に天板が跳ね上がらないように制動をかけることが可能な折畳み式テーブルを提供する点にある。
【課題を解決するための手段】
【０００８】
本発明は、前述の課題解決のために、左右の脚体に天板を上下回動可能に連結するとともに、天板後部下方に配した幕板を天板とリンク機構で連動させ、該天板が水平で幕板が天板後部下方に接近して垂下した使用姿勢と、天板の前部を跳ね上げて該天板が脚体に略平行で幕板が両脚体の後縁に沿った折畳み姿勢をとる折畳み式テーブルにおいて、前記リンク機構の少なくとも一つの枢着部に、前記天板が折畳み姿勢又は使用姿勢の回転終端に近づくと機能して回転に制動を与える弾性緩衝機構を内蔵し、前記弾性緩衝機構は、前記枢着部を構成する一方の部材に板バネの基端部を保持するとともに、前記枢着部を構成する他方の部材に回転終端に近づくと前記板バネの遊端部に圧接する突起を該枢着部の回転中心から偏心した位置に設けたものである請求項１記載の折畳み式テーブルを構成した（請求項１）。
【０００９】
具体的には、前記リンク機構が、前記脚体と幕板とを下リンク杆と上リンク杆にてリンク連結するとともに、該上リンク杆の中間部と天板後部とを連動杆にてリンク連結し、天板と幕板とを連動させる構造であり、前記連動杆の上端と天板後部との枢着部に前記弾性緩衝機構を内蔵してなることが好ましい（請求項２）。
【００１０】
ここで、前記弾性緩衝機構は、前記天板の両側下面に固定したブラケットに、円筒状の支軸と該支軸の外周面に突起を突設した制動部材を回転不能に保持するとともに、前記連動杆の上端部に前記支軸と突起を受け入れる軸孔部と、該軸孔部に連続した板バネ保持部を凹設し、該板バネ保持部に単又は複数の板バネの基端部を嵌合するとともに、前記制動部材の支軸と突起を軸孔部に挿入し、前記連動杆の上端部を貫通した回動軸を前記制動部材の支軸に貫通して前記ブラケットに螺合し、折畳み姿勢又は使用姿勢の回転終端に近づくと前記突起が板バネの遊端部に圧接するように設定してなることがより好ましい（請求項３）。
【００１１】
更に、前記制動部材は、基台の一側面に前記支軸を突設するとともに、基台の他側面に複数のダボを突設し、前記ブラケットの支持片に前記回動軸を螺合する螺孔とその周囲に係合孔を穿設し、前記ダボを係合孔に嵌合して回転不能に保持してなることも好ましい（請求項４）。
【００１２】
更に、前記制動部材は、基台の一側面に前記支軸を突設するとともに、該支軸の外周部に先端に該支軸を中心とした円弧面を形成した突起を突設し、前記板バネの遊端部を前記突起の円弧面に乗り上げ可能とすることも好ましい（請求項５）。
【発明の効果】
【００１３】
以上にしてなる請求項１に係る発明の折畳み式テーブルは、前記リンク機構の少なくとも一つの枢着部に、前記天板が折畳み姿勢又は使用姿勢の回転終端に近づくと機能して回転に制動を与える弾性緩衝機構を内蔵し、前記弾性緩衝機構は、前記枢着部を構成する一方の部材に板バネの基端部を保持するとともに、前記枢着部を構成する他方の部材に回転終端に近づくと前記板バネの遊端部に圧接する突起を該枢着部の回転中心から偏心した位置に設けたものであるので、天板の急激な跳ね上がりを防止することができ、しかも弾性緩衝機構は天板を使用姿勢から持ち上げる際には作用しないので初期動作が軽く、そして折畳み姿勢になる前に作用するので、ゆっくりと折畳み姿勢に停止させることができ、幕板が脚体に強く衝突することも防止できる。逆に、前記天板を折畳み姿勢から使用姿勢に戻す際には、前記板バネの弾性復元力を利用できるので、初期動作が軽くなるのである。
【００１４】
請求項２によれば、前記リンク機構が、前記脚体と幕板とを下リンク杆と上リンク杆にてリンク連結するとともに、該上リンク杆の中間部と天板後部とを連動杆にてリンク連結し、天板と幕板とを連動させる構造であり、前記連動杆の上端と天板後部との枢着部に前記弾性緩衝機構を内蔵してなるので、天板と幕板の連動がスムーズであり、また弾性緩衝機構も組み込みやすく、天板の回動により直接相対的に回動する枢着部に弾性緩衝機構を内蔵したので、天板に対して直接的に制動を与えることができる。
【００１５】
請求項３によれば、前記弾性緩衝機構は、前記天板の両側下面に固定したブラケットに、円筒状の支軸と該支軸の外周面に突起を突設した制動部材を回転不能に保持するとともに、前記連動杆の上端部に前記支軸と突起を受け入れる軸孔部と、該軸孔部に連続した板バネ保持部を凹設し、該板バネ保持部に単又は複数の板バネの基端部を嵌合するとともに、前記制動部材の支軸と突起を軸孔部に挿入し、前記連動杆の上端部を貫通した回動軸を前記制動部材の支軸に貫通して前記ブラケットに螺合し、折畳み姿勢又は使用姿勢の回転終端に近づくと前記突起が板バネの遊端部に圧接するように設定してなるので、弾性緩衝機構が連動杆と枢着部にコンパクトに収まるので外観性においてスッキリとし、また構造が簡単であるので安価に構成できる。
【００１６】
請求項４によれば、前記制動部材は、基台の一側面に前記支軸を突設するとともに、基台の他側面に複数のダボを突設し、前記ブラケットの支持片に前記回動軸を螺合する螺孔とその周囲に係合孔を穿設し、前記ダボを係合孔に嵌合して回転不能に保持してなるので、制動部材として合成樹脂成形品を用いることができ、基台は支持片と連動杆の間に介在して摺動部材を兼ねるので、動作がスムーズであり、組立も単にダボを係合孔に嵌合するだけで回動不能に保持することができるとともに、突起の位置決めが正確にできる。
【００１７】
請求項５によれば、前記制動部材は、基台の一側面に前記支軸を突設するとともに、該支軸の外周部に先端に該支軸を中心とした円弧面を形成した突起を突設し、前記板バネの遊端部を前記突起の円弧面に乗り上げ可能となしたので、天板の回動に伴い、前記突起が板バネの遊端に圧接して回転に制動を与えた後、最終的に突起の円弧面に板バネの遊端部が乗り上げるので、その時点で板バネの弾性復元力が天板の回動方向に作用しなくなり、別途回転機構に設ける折畳み姿勢を維持するロック装置に負荷がかからなくなって、ロック装置の解除操作がスムーズになる。
【発明を実施するための最良の形態】
【００１８】
次に、添付図面に示した実施形態に基づき、本発明を更に詳細に説明する。図１及び図２は本発明に係る折畳み式テーブルの使用姿勢を示し、図３及び図４は折畳み姿勢を示し、図５〜図１５は各部の詳細を示し、図中符号１は脚体、２は天板、３は幕板、４はリンク機構をそれぞれ示している。
【００１９】
本実施形態の折畳み式テーブルは、左右の脚体１，１の上端部に、天板２を上下回動可能に連結するとともに、天板２の後部下方に配した幕板３を天板２とリンク機構４で連動させ、該天板２が水平で幕板３が天板２の後部下方に接近して垂下した使用姿勢（図１参照）と、天板２の前部を跳ね上げて該天板２が脚体１に略平行で幕板３が両脚体１，１の後縁に沿った折畳み姿勢（図３参照）をとることができるものである。尚、前述の使用姿勢と折畳み姿勢を維持するために、前記天板２の回動部５の近傍にロック機構を設け、両姿勢になったときに回動部５の回動がロックされるようになっている。
【００２０】
先ず、前記脚体１は、前後方向に向いた接地杆６の後端部から脚柱７が斜め前方に立ち上がった側面視略Ｌ字形を有し、アルミダイキャストで作製している。そして、前記脚体１の接地杆６の前後端部にはキャスター８，８を設け、移動可能となっている。更に、両側の前記脚体１，１の接地杆６，６は前端が外側へ平面視ハ字状に広がった形状になっており、前記天板２と幕板３が前記脚柱７の後縁に沿った折畳み姿勢で、複数の折畳み式テーブルを前後方向にスタッキング可能としている。
【００２１】
また、前記脚柱７の上端部内側に高さを二段階に調節して取付けることが可能な脚アーム９を設け、該脚アーム９は前記脚柱７に連結する連結部１０と該連結部１０の上端から内方へ屈曲した支持部１１を有し、該支持部１１を天板２の下面両側部に前後方向に向けて取付けたブラケット１２に前記回動部５を介して連結している。
【００２２】
次に、前記リンク機構４を、図１〜図９に基づいて説明する。前記天板２の後部下方に配した幕板３を、左右両側において一対の下リンク杆１３と上リンク杆１４にて前記脚柱７の内側にリンク連結するとともに、該上リンク杆１４の中間部と天板２後部とを連動杆１５にてリンク連結して天板２と幕板３とを連動させている。また、前記下リンク杆１３と上リンク杆１４の両端部は枢着部にて脚体１と幕板３にリンク連結されるが、幕板３には該幕板３の両側部に取付ける取付杆１６の上下端部に枢着部にて連結する。全ての枢着部は垂直面内で上下に回動するようになっている。そして、前記幕板３を前記脚体１の脚柱７の後縁に沿って折畳んだ側面視状態において、前記上下リンク杆１３，１４が前記脚柱７の内側に略隠蔽されて、殆ど見えないようにしている。
【００２３】
ここで、前記リンク機構４を組み立てた後に、前記幕板３を取付杆１６に連結するようになっている。具体的には、図５に示すように、前記幕板３の前面側の両側部に上下方向に固定した補強部材３Ａの上部にネジを軽く締めて突出させ、下部に螺孔を形成しておき、前記取付杆１６の上部にダルマ形の上孔３Ｂを形成するとともに、下部の下孔３Ｃに緩くネジ３Ｄを螺合した状態で、補強部材３Ａの上部のネジを上孔３Ｂに挿入して係止した後締付け、それから下部のネジ３Ｄを補強部材３Ａの螺孔に螺合するのである。
【００２４】
更に詳しくは、図１、図５及び図６に示すように、前記下リンク杆１３の一端は前記脚柱７の内側に直接枢着部１７にて上下回動可能に連結するとともに、他端は前記取付杆１６の下端に枢着部１８にて上下回動可能に連結している。一方、前記上リンク杆１４の一端は前記脚柱７に取付けた脚アーム９の連結部１０に枢着部１９にて上下回動可能に連結するとともに、他端は前記取付杆１６の上端に枢着部２０にて上下回動可能に連結している。また、前記連動杆１５の下端は前記上リンク杆１４の中間部に枢着部２１にて上下回動可能に連結するとともに、上端は前記ブラケット１２の後部に枢着部２２にて上下回動可能に連結している。
【００２５】
そして、前記下リンク杆１３の一端と前記脚体１との枢着部１７に下ストッパー２３を設け、前記幕板３が折畳み姿勢と使用姿勢の両回転終端で当止して回転を規制する。また、前記上リンク杆１４の一端と前記脚体１との枢着部１９に上ストッパー２４を設け、前記幕板３が折畳み姿勢の回転終端で当止して回転を規制する。更に、前記連動杆１５の上端とブラケット１２との枢着部２２に弾性緩衝機構２５を設け、前記天板２が折畳み姿勢の回転終端に近づくと機能して回転に制動を与えて、該天板２の急激な跳ね上がりを防止している。
【００２６】
先ず、前記下ストッパー２３は、図２、図４、図５及び図７に示すように、前記脚体１に設けた第１カム部２６と前記下リンク杆１３に設けた第２カム部２７が、折畳み姿勢と使用姿勢の両回転終端で回転方向に係合するようになっている。前記第１カム部２６は、前記脚柱７の内面に形成した円形凹部２６Ａの内周部の一部に略扇形の当止部２６Ｂを突設したものであり、前記第２カム部２７は、前記第１カム部２６の当止部２６Ｂ以外の凹部２６Ａに回転可能に嵌合する軸部２７Ａの外周部の一部に前記当止部２６Ｂに回転方向に当止する当止部２７Ｂを突設したものである。図１、図２及び図７（ａ）は使用姿勢、図３、図４及び図７（ｂ）は折畳み姿勢をそれぞれ示している。
【００２７】
尚、前記脚アーム９は上下二段に高さを調節できるようになっており、前記上リンク杆１４は該脚アーム９の連結部１０に枢着しているので、下リンク杆１３も上下二段に高さ変更可能に取付けることができるように、前記第１カム部２６は上下二箇所に同一形状のものを穿設している。そして、前記下リンク杆１３の第２カム部２７を前記脚柱７の第１カム部２６に嵌合した状態で、軸部２７Ａを貫通させた軸ボルト２８を第１カム部２６の凹部２６Ａ内に螺合して前記枢着部１７を構成している。
【００２８】
次に、前記上ストッパー２４は、図２、図４、図５及び図８に示すように、前記脚体１に突設した突出部２９と前記上リンク杆１４に設けた第３カム部３０が、折畳み姿勢の回転終端で回転方向に係合するようになっている。具体的には、前記突出部２９は、前記脚アーム９の連結部１０であって、前記枢着部１９の近傍の上部に突設した円筒形のリブであり、その内部で前記連結部１０を脚柱７にネジ止めしている。また、前記第３カム部３０は、前記上リンク杆１４の一端に設けた円柱部３１の先端部に前記突出部２９を逃がす切欠部３２を形成し、該切欠部３２の一方の端部３３が、前記幕板３が折畳み姿勢の回動終端で前記突出部２９の側面に当止するようになっている（図４、図８（ｂ）参照）。尚、前記上リンク杆１４の円柱部３１を貫通させた軸ボルト３４を前記脚アーム９の連結部１０に螺合して前記枢着部１９を構成している。
【００２９】
また、前記取付杆１６の上下端の筒部３５，３５にそれぞれ軸ボルト３６，３６を貫通させて、前記下リンク杆１３と上リンク杆１４の他端に螺合して枢着部１８，２０を構成している。また、前記上リンク杆１４の中間部を貫通させた軸ボルト３７を前記連動杆１５の下端に螺合して前記枢着部２１を構成している。尚、図示しないが、各枢着部において、各杆部材に形成した通孔内に該通孔よりも若干長い円筒部材を回動可能に嵌挿し、該円筒部材に軸ボルトを挿通し、該軸ボルトを相手部材に螺合して円筒部材を締め付けて固定している。
【００３０】
そして、本発明の第１実施形態に係る前記弾性緩衝機構２５は、図６及び図９に示すように、前記連動杆１５の上端部と天板２後部との枢着部２２に内蔵している。前記弾性緩衝機構２５は、前記連動杆１５の上端部に板バネ３８の基端部を保持するとともに、前記ブラケット１２の一部に形成した支持片３９に回動不能に設けた制動部材４０に、前記板バネ３８の遊端部に圧接する突起４１を設けたものである。つまり、前記天板２の前部が跳ね上がって折畳み姿勢の回転終端に近づくと、前記突起４１が板バネ３８の遊端部に圧接して回転に制動を与えるのである。
【００３１】
更に詳しくは、前記弾性緩衝機構２５は、前記天板２の両側下面に固定したブラケット１２の支持片３９に、円筒状の支軸４２と該支軸４２の外周面に突起４１を突設した制動部材４０を回転不能に保持するとともに、前記連動杆１５の上端部に前記支軸４２と突起４１を受け入れる軸孔部４３と、該軸孔部４３に連続し連動杆１５の長手方向に延びたスリット状の板バネ保持部４４を凹設し、該板バネ保持部４４に単又は複数の板バネ３８の基端部を嵌合するとともに、前記制動部材４０の支軸４２と突起４１を軸孔部４３に挿入し、前記連動杆１５の上端部に形成した軸孔４５を貫通した回動軸４６を、前記制動部材４０の支軸４２の中心孔４７に貫通して前記ブラケット１２の支持片３９に螺合して構成し、折畳み姿勢の回転終端に近づくと前記突起４１が板バネ３８の遊端部に圧接するように、前記突起４１の角度を設定している。ここで、前記板バネ保持部４４は、スリット状部分から前記軸孔部４３にかけて円弧状に拡開した形状、例えば銀杏の葉のような形状になっており、前記板バネ３８が切り返し屈曲されても折損することがないようにしている。
【００３２】
また、前記板バネ３８の基端部を前記板バネ保持部４４に確実に保持するために、板バネ３８と板バネ保持部４４とを凹凸嵌合する構造、前記連動杆１５の前後面から板バネ保持部４４に突出するようにネジを螺合して、ネジの先端で板バネ３８の基端部を圧接する構造、前記連動杆１５の側面に粘着テープを貼って板バネ保持部４４を塞ぐ構造、板バネ保持部４４の開口側にキャップを装着する構造等を採用することができる。
【００３３】
また、前記制動部材４０は、基台４８の一側面に前記支軸４２を突設するとともに、基台４８の他側面に複数のダボ４９，…を突設し、前記ブラケット１２の支持片３９に前記回動軸４６を螺合する螺孔５０とその周囲に係合孔５１，…を穿設し、前記ダボ４９，…を係合孔５１，…に嵌合して回転不能に保持する。ここで、前記回動軸４６は、先端部に前記螺孔５０に螺合する螺軸５２を形成している。
【００３４】
図９（ａ）は天板２が水平な使用姿勢を示し、図９（ｂ）は天板２の前部を跳ね上げた折畳み姿勢を示している。前記天板２が使用姿勢から前部を跳ね上げると、前記突起４１は天板２の回転に伴って前記連動杆１５の軸孔部４３内で相対的に回転し、やがて折畳み姿勢になる途中に中央部にある板バネ３８の遊端部に当接し、回転しながら板バネ３８を弾性変形させる。この板バネ３８の弾性復元力が制動力となって天板２の跳ね上げ回転に制動を与え、折畳み姿勢になる際の衝撃を和らげるのである。ここで、前記板バネ保持部４４に装着する板バネ３８の枚数を増やすことにより、弾性復元力を増大させることができる。本発明に係る折畳み式テーブルの横幅は何種類かあり、前記天板２の横幅が長くなるとその重量が増すので、それに応じて板バネ３８の枚数を増やして調節するのである。
【００３５】
以上のように、下ストッパー２３と上ストッパー２４及び弾性緩衝機構２５により、天板２と幕板３を連動させて使用姿勢から折畳み姿勢にする際に、回転終端の前から弾性緩衝機構２５による制動力が作用し、また回転終端では下ストッパー２３と上ストッパー２４による回動規制が作用することにより、天板２と幕板３を設計通りの正確な位置で静止させることができ、天板２が幕板３の重量によって前部が急に跳ね上がることを防止するとともに、幕板３が脚体１，１に衝突することを防止するのである。逆に、前記天板２を折畳み姿勢から使用姿勢に戻す際には、前記板バネ３８の弾性復元力を利用できるので、初期動作が軽くなるのである。
【００３６】
次に、本発明の第２実施形態に係る前記弾性緩衝機構２５を図１０〜図１５に基づいて説明する。本実施形態も基本的には前記第１実施形態と同様であるので、同一構成には同一符号を付してその説明は省略する。本実施形態の制動部材４０は、基台４８の一側面に支軸４２を突設するとともに、該支軸４２の外周部に先端に該支軸４２を中心とした円弧面５３を形成した突起４１を突設し、前記板バネ３８の遊端部を前記突起４１の円弧面５３に乗り上げ可能となしている。そして、前記連動杆１５は、上端部に膨出部５４を形成し、該膨出部５４に前記支軸４２と突起４１を受け入れる軸孔部４３と、該軸孔部４３に連続し連動杆１５の長手方向に延びた板バネ保持部４４を凹設している。
【００３７】
前記板バネ保持部４４は、図１３及び図１４に示すように、板バネ３８を所定枚数重ねた状態でその基端を係止する突片５５を備えるとともに、板バネ３８を屈曲状態に保持できるように、該板バネ３８の中間部を当止する単又は複数の当止部５６を突設し、更に前記膨出部５４の中心部に形成した軸孔４５の近傍で前記軸孔部４３に面する位置に、前記板バネ３８の遊端を当止する受部５７を一体形成している。また、前記板バネ３８が長手方向にずれないように、該板バネ３８の基部の一側に切欠部５８を形成し、該切欠部５８を前記板バネ保持部４４の底部に交差するように突設したリブ５９に係合させている。
【００３８】
本実施形態の弾性緩衝機構２５は、前記天板２の前部を跳ね上げて、折畳み姿勢の回転終端に近づくと、先ず前記突起４１の前進端が板バネ３８の遊端部を圧接し、板バネ３８を弾性力に抗して回転することにより制動力が作用し、更に折畳み姿勢になると前記突起４１の円弧面５３に板バネ３８の遊端部が乗り上げると、もはや板バネ３８の弾性力は回転方向に作用しなくなる。本実施形態の場合、前記天板２が折畳み姿勢では、該天板２の回動機構に板バネ３８の弾性力が作用しないので、折畳み姿勢を維持するロック装置に負荷がかからず、ロック装置の解除操作がスムーズになるのである。
【００３９】
また、前記ブラケット１２を覆うカバー６０には、図１５に示すように、制動部材４０を逃がすためのＵ字状の開口部６１を設けているが、本発明に係る折畳み式テーブルでは幕板３を設けない構成のものもある。前記幕板３の有無に係わらず、製造コスト削減のため、共通のカバー６０を用いる場合、前記開口部６１が開いたままだと、内部の支持片３９等が露出して外観性を損なう。そこで、前記制動部材４０の基台４８の形状を、前記開口部６１を埋めるＵ字形に成形し、幕板３を設けない場合でも、前記制動部材４０を支持片３９に取付けて開口部６１を閉鎖するようにすることも好ましい。尚、第２実施形態の場合、前記リンク機構４を組み立てた後、カバー６０を装着することは、連動杆１５の上端部の形状から困難になるが、制動部材４０をカバー６０の開口部６１の形状と一致させることにより、カバー６０を装着した後、制動部材４０やその他のリンク機構４を組み立てることが可能となる。
【００４０】
次に、本発明の第３実施形態に係る前記弾性緩衝機構２５を図１６〜図１８に基づいて説明する。本実施形態も基本的には前記第１例及び第２例と同様であるので、同一構成には同一符号を付してその説明は省略する。また、この第３実施形態に係る前記弾性緩衝機構２５の作用も前述のものと同様である。本実施形態の制動部材４０は、基台４８の一側面に支軸４２を突設するとともに、該支軸４２の外周部に先端に該支軸４２を中心とした円弧面５３を形成した突起４１を突設し、前記板バネ３８の遊端部を前記突起４１の円弧面５３に乗り上げ可能となしている。ここで、前記制動部材４０は、基台４８の背面に突設したダボ４９，…を、ブラケット１３の支持片３９に形成した係合孔５１，…に抜止め嵌合するために、直径方向に位置する一対のダボ４９，４９に係合爪６２をそれぞれ突設している。また、制動部材４０と支持片３９との接合面には大きな剪断力が加わるので、直径方向に位置する一対のダボ４９，４９の断面形状を、半径方向に延びた形状としている。
【００４１】
そして、前記連動杆１５は、上端部に膨出部５４を形成するとともに、中央部の横幅を拡張して拡幅部６３を形成し、該膨出部５４に前記支軸４２と突起４１を受け入れる軸孔部４３と、前記拡幅部６３に該軸孔部４３に連続し連動杆１５の長手方向に延びた板バネ保持部４４を凹設し、該板バネ保持部４４に閉塞板６４を嵌着して板バネ３８，…が外れないように保持している。
【００４２】
前記板バネ保持部４４は、図１６及び図１７に示すように、前記拡幅部６３内に所定枚数重ねた状態の板バネ３８，…の中央部を当止する半円筒状の当止部６５を突設するとともに、それより基端側の反対面を当止するブロック状の当止部６６を突設し、更に該当止部６６と同じ側で前記当止部６５より先端側を当止するリブ状の当止部６７を突設している。前記当止部６５〜６７により板バネ３８，…を屈曲状態で保持する。更に、前記膨出部５４の中心部に形成した軸孔４５の近傍で前記軸孔部４３に面する位置に、前記板バネ３８の遊端を当止する受部５７を一体形成している。
【００４３】
また、前記板バネ保持部４４の内部に、複数の箱状の係合筒６８，…を突設し、該係合筒６８の対向壁面に切欠孔６９，６９を形成している。一方、前記閉塞板６４の裏面には、前記係合筒６８，…に嵌入する嵌合突起７０，…を突設するとともに、該嵌合突起７０の両側面に前記切欠孔６９，６９に抜止め係合する弾性爪７１，７１を形成し、更に裏面の適所に前記板バネ３８，…の側縁を当止するリブ７２を突設している。そして、前記板バネ保持部４４に板バネ３８，…を装着した後、前記閉塞板６４を板バネ保持部４４に抜止め状態で嵌着するのである。
【００４４】
このように構成することにより、前記板バネ３８の組み込み作業が容易になるとともに、前記板バネ保持部４４は閉塞板６４で覆われるので、板バネ３８の保持が確実になり、また外観性にも優れたものになる。更に、前記連動杆１５は、中央部の横幅を拡張して拡幅部６３を形成したので、強度が向上し、板バネ３８に大きな力が加わっても破損することがないのである。
【００４５】
以上の実施形態では、天板２が折畳み姿勢になる直前に弾性緩衝機構２５によって姓動力が作用するように構成したが、天板２の回動部５の位置によっては、天板２等の回動部分の重心が前がかりになり、折畳み姿勢になる動作時よりも使用姿勢になる動作時に加速し、衝撃が大きくなることがあり、その場合には弾性緩衝機構２５が使用姿勢になる直前に作用するようにする。
【図面の簡単な説明】
【００４６】
【図１】本発明に係る折畳み式テーブルの使用姿勢の縦断面図である。
【図２】同じく使用姿勢の要部拡大縦断面図である。
【図３】折畳み式テーブルの折畳み姿勢の縦断面図である。
【図４】同じく折畳み姿勢の要部拡大縦断面図である。
【図５】リンク機構を示す分解斜視図である。
【図６】第１実施形態の弾性緩衝機構を示す要部の分解斜視図である。
【図７】下ストッパーの構造を示し、（ａ）は使用姿勢の部分断面図、（ｂ）は折畳み姿勢の部分断面図である。
【図８】上ストッパーの構造を示し、（ａ）は使用姿勢の部分断面図、（ｂ）は折畳み姿勢の部分断面図である。
【図９】第１実施形態の弾性緩衝機構を示し、（ａ）は使用姿勢の部分省略側面図、（ｂ）は折畳み姿勢の部分省略側面図である。
【図１０】第２実施形態の弾性緩衝機構を用いた折畳み式テーブルの使用姿勢の側面図である。
【図１１】同じく折畳み式テーブルの折畳み姿勢の側面図である。
【図１２】リンク機構を示す分解斜視図である。
【図１３】連動杆の板バネ保持部に板バネを組み込んだ状態を示す斜視図である。
【図１４】第２実施形態の弾性緩衝機構を示し、（ａ）は使用姿勢の部分省略側面図、（ｂ）は折畳み姿勢の部分省略側面図である。
【図１５】カバー機能を備えた制動部材の例を示す部分分解斜視図である。
【図１６】第３実施形態の弾性緩衝機構を示し、板バネを組み込んだ連動杆の側面図である。
【図１７】同じく連動杆の分解斜視図である。
【図１８】カバー機能を備えた制動部材の例を示す部分分解斜視図である。
【符号の説明】
【００４７】
１  脚体、              ２  天板、
３  幕板、              ４  リンク機構、
５  回動部、            ６  接地杆、
７  脚柱、              ８  キャスター、
９  脚アーム、          １０  連結部、
１１  支持部、          １２  ブラケット、
１３  下リンク杆、      １４  上リンク杆、
１５  連動杆、          １６  取付杆、
１７  枢着部、          １８  枢着部、
１９  枢着部、          ２０  枢着部、
２１  枢着部、          ２２  枢着部、
２３  下ストッパー、    ２４  上ストッパー、
２５  弾性緩衝機構、    ２６  第１カム部、
２６Ａ  凹部、          ２６Ｂ  当止部、
２７  第２カム部、      ２７Ａ  軸部、
２７Ｂ  当止部、        ２８  軸ボルト、
２９  突出部、          ３０  第３カム部、
３１  円柱部、          ３２  切欠部、
３３  端部、            ３４  軸ボルト、
３５  筒部、            ３６  軸ボルト、
３７  軸ボルト、        ３８  板バネ、
３９  支持片、          ４０  制動部材、
４１  突起、            ４２  支軸、
４３  軸孔部、          ４４  板バネ保持部、
４５  軸孔、            ４６  回動軸、
４７  中心孔、          ４８  基台、
４９  ダボ、            ５０  螺孔、
５１  係合孔、          ５２  螺軸、
５３  円弧面、          ５４  膨出部、
５５  突片、            ５６  当止部、
５７  受部、            ５８  切欠部、
５９  リブ、            ６０  カバー、
６１  開口部、          ６２  係合爪、
６３  拡幅部            ６４  閉塞板、
６５  当止部            ６６  当止部、
６７  当止部            ６８  係合筒、
６９  切欠孔            ７０  嵌合突起、
７１  弾性爪、          ７２  リブ。
【図１】
0005274930.tif 000002
【図２】
0005274930.tif 000003
【図３】
0005274930.tif 000004
【図４】
0005274930.tif 000005
【図５】
0005274930.tif 000006
【図６】
0005274930.tif 000007
【図７】
0005274930.tif 000008
【図８】
0005274930.tif 000009
【図９】
0005274930.tif 000010
【図１０】
0005274930.tif 000011
【図１１】
0005274930.tif 000012
【図１２】
0005274930.tif 000013
【図１３】
0005274930.tif 000014
【図１４】
0005274930.tif 000015
【図１５】
0005274930.tif 000016
【図１６】
0005274930.tif 000017
【図１７】
0005274930.tif 000018
【図１８】
0005274930.tif 000019